(57)【特許請求の範囲】
【請求項１】
底面、上面、前面、背面および両端面を有する紙製の箱体と、前記箱体内に納められたシートとを有し、前記箱体に、少なくとも前記上面を開放する蓋部が一体に形成されているシート収納体において、
前記箱体には、前記両端面を形成している紙材の一部を分離して折り曲げ可能な切り起し片が設けられており、前記切り起し片を折り曲げることにより、前記両端面に、前記箱体を支える支持アームを挿入する支持穴が開口することを特徴とするシート収納体。
【請求項２】
前記両端面のそれぞれには、複数の前記切り起し片が隣接して設けられており、折り曲げる切り起し片の数を選択することにより前記支持穴の開口面積を可変できる請求項１記載のシート収納体。
【請求項３】
前記箱体内には、複数のシートが前記底面から上方に向けて積み重ねられており、前記支持穴は、前記積み重ねられたシートの最上面よりも上方に設けられている請求項１または２記載のシート収納体。
【請求項４】
前記支持穴は、前記両端面の上下方向に延びる中心線よりも前記背面側に寄った位置に設けられている請求項１ないし３のいずれかに記載のシート収納体。
【請求項５】
前記切り起し片は、自由端が前記上面側に向けられ、折り曲げられる基端部分が前記底面側に位置している請求項１ないし４のいずれかに記載のシート収納体。
【請求項６】
前記箱体内には、前記両端面よりも内部に位置する隔壁がそれぞれ設けられており、前記隔壁と隔壁との間に、シートが収納される収納空間が設けられ、前記両端面と前記各隔壁との間に、前記支持アームが挿入される挿入空間が形成されている請求項１ないし５のいずれかに記載のシート収納体。
【請求項７】
底面、上面、前面、背面および両端面を有する紙製の箱体と、前記箱体内に納められたシートとを有し、前記箱体に、少なくとも前記上面を開放する蓋部が一体に形成されているシート収納体において、
前記箱体の背面には、両側端部が開口した筒状の支持部材が、前記上面と背面との境界線と平行に向けて取り付けられており、
前記支持部材は前記背面に対して少なくとも上下に離れて位置する接合部で接着されており、上下に離れて位置する前記接合部の少なくとも一方が前記背面から剥離可能であることを特徴とするシート収納体。
【請求項８】
前記支持部材は、樹脂フィルムで形成されている請求項７記載のシート収納体。
【請求項９】
壁面に固定される支持プレートと、前記支持プレートにプレート表面と平行に立ち上がるように回動自在に連結された支持アームとを有するホルダーが、前記箱体に組み合わされている請求項１ないし８のいずれかに記載のシート収納体。
【請求項１０】
前記シートはクッキングシートである請求項１ないし９のいずれかに記載のシート収納体。
【発明の詳細な説明】
【０００１】
【発明の属する技術分野】
本発明は、キッチンなどで使用されるシートが紙製の箱体内に収納されているシート収納体に係り、さらに詳しくは、壁や家具または冷蔵庫の表面などに取り付けられたホルダーに対して、前記箱体を容易に取り付けまた取り外すことができるシート収納体に関する。
【０００２】
【従来の技術】
家庭内で、紙製の箱体の中に、各種シートが収納されたシート収納体が使用されている。前記箱体には、紙材に形成されたパーフォレーションで区分された蓋部が一体に形成されている。前記パーフォレーションで前記蓋部を箱体から分離することにより、前記蓋部が開閉可能になり、この蓋部を持ち上げることにより前記箱体に取り出し口を形成できる。
【０００３】
前記収納体の内部には、クッキングペーパと呼ばれる不織布や紙で形成されたシート、食品などを包む樹脂シート、または前記樹脂シートで形成された袋体、あるいはドライな状態のワイプスなどの各種シートが収納されている。前記シートは、予めシート単体に区分されたものが折り畳まれた状態で、前記箱体の内部に重ねられて収納されている。あるいは前記シートが帯状に形成されており、帯状のものにパーフォレーションが形成されて、このパーフォレーションで切断することにより短い寸法のシートに分離できる形態のものもある。この帯状のものはロール状に巻かれた状態で前記箱体内に収納されている。
【０００４】
ここで、紙で形成されたシートであるペーパタオルが収納された状態で、壁などに取り付けることができる箱体に関する先行技術文献としては次のものがある。
【０００５】
【特許文献１】
登録実用新案第３０３２９６７号公報
【０００６】
【発明が解決しようとする課題】
前記シート収納体は、キッチンや家庭内においてクッキングテーブルや流し台、その他のテーブルの上に置いて使用されるのが一般的である。
【０００７】
しかし、シート収納体を前記テーブルなどに置いていると、クッキングなどの際に邪魔になることが多く、またテーブル上の限られた空きスペースに設置することになって、必ずしも使いやすい場所に置くことができない。
【０００８】
また、前記シート収納体を使用するときには、片手で箱体を保持し、片手で蓋部を開いて中のシートを取り出すことが必要であるが、このときクッキング中の手が汚れていたり濡れていると、紙製の箱体を汚し、または濡らして変形させてしまう、などの問題が生じる。
【０００９】
本発明は上記従来の課題を解決するものであり、壁や家具または冷蔵庫の表面などに取り付けられたホルダーに前記箱体を簡単に取り付けることができ、箱体内からシートを簡単に取り出すことができるシート収納体を提供することを目的としている。
【００１０】
【課題を解決するための手段】
第１の本発明は、底面、上面、前面、背面および両端面を有する紙製の箱体と、前記箱体内に納められたシートとを有し、前記箱体に、少なくとも前記上面を開放する蓋部が一体に形成されているシート収納体において、
前記箱体には、前記両端面を形成している紙材の一部を分離して折り曲げ可能な切り起し片が設けられており、前記切り起し片を折り曲げることにより、前記両端面に、前記箱体を支える支持アームを挿入する支持穴が開口することを特徴とするものである。
【００１１】
前記シート収納体では、前記切り起し片を分離して折り曲げることにより支持穴を開口させ、この支持穴に、壁面に取り付けられた支持アームを挿通させることにより、箱体を壁面に簡単に支持させることができる。
【００１２】
また、前記両端面のそれぞれには、複数の前記切り起し片が隣接して設けられており、折り曲げる切り起し片の数を選択することにより前記支持穴の開口面積を可変できるものとすることができる。
【００１３】
前記支持穴の開口面積を変化させることにより、支持アームの大きさに合わせることができる。
【００１４】
例えば、前記箱体内には、複数のシートが前記底面から上方に向けて積み重ねられており、前記支持穴は、前記積み重ねられたシートの最上面よりも上方に設けられているものである。
【００１５】
前記支持穴が、積み重ねられたシートの最上面よりも上方に開口していると、支持穴に挿入された支持アームが、前記シートの最上面よりも上方を通過するようになり、支持アームで支持されたまま内部のシートの取り出しが可能である。
【００１６】
また、前記支持穴は、前記両端面の上下方向に延びる中心線よりも前記背面側に寄った位置に設けられているものが好ましい。
【００１７】
この構成では、前記支持アームによって前記箱体の背面側が支持されることになり、蓋部を空けたときに、シートを前方へ取り出しやすくなる。
【００１８】
また、前記切り起し片は、自由端が前記上面側に向けられ、折り曲げられる基端部分が前記底面側に位置しているものであってもよい。
【００１９】
このように構成すると、箱体内にシートが積み重ねられている場合に、切り起し片を箱体の内方へ折り曲げて前記支持穴を開口させたときに、切り起し片が積み重ねられた前記シートの最上面に対面するようになる。したがって、前記支持穴に支持アームを挿入するときに、支持アームの先端が積み重ねられているシートの側面に当たることなく、前記切り起し片によって、支持アームが箱体内のシートの上面に沿って挿入されるように案内できるようになる。
【００２０】
また、前記箱体内には、前記両端面よりも内部に位置する隔壁がそれぞれ設けられており、前記隔壁と隔壁との間に、シートが収納される収納空間が設けられ、前記両端面と前記各隔壁との間に、前記支持アームが挿入される挿入空間が形成されているものであってもよい。
【００２１】
前記両端面と隔壁との間の挿入空間に支持アームを挿入すると、隔壁間の収納領域を無駄なく使って、シートを収納することができ、シートの収納量を多くできる。
【００２２】
第２の本発明は、底面、上面、前面、背面および両端面を有する紙製の箱体と、前記箱体内に納められたシートとを有し、前記箱体に、少なくとも前記上面を開放する蓋部が一体に形成されているシート収納体において、
前記箱体の背面には、両側端部が開口した筒状の支持部材が、前記上面と背面との境界線と平行に向けて取り付けられており、
前記支持部材は前記背面に対して少なくとも上下に離れて位置する接合部で接着されており、上下に離れて位置する前記接合部の少なくとも一方が前記背面から剥離可能であることを特徴とするものである。
【００２３】
このように構成すると、前記支持穴に前記支持アームを挿通させることによることの他、支持アームを前記支持部材の内径部に挿通させることによって、前記箱体を壁面に簡単に支持させることができる。
【００２５】
この場合に、前記支持部材は、樹脂フィルムで形成されていることが好ましい。
【００２６】
前記箱体を壁面に取り付ける前には、前記支持部材が上下に離れた接合部によて前記背面に接合されているため、前記支持部材を前記背面に密着した状態にでき、保管や流通の際に前記支持部材が邪魔にならない。一方、前記箱体を壁面に取り付ける際には、背面に接合された前記支持部材に支持アームを挿入することにより、支持部材が支持アームに密着した状態で、ケースを不用意に動かないように支持することができる。また、前記支持アームなどが太いものなどの場合には、前記支持部材と背面との接合部のうちの一部を剥離させることにより、支持部材の内部空間を広げることができ、支持アームの寸法の変化に合わせることができる。
【００２７】
この場合に、前記支持部材が樹脂フィルムで形成されていると、背面において平坦な状態にできて背面からの突出量が少なくなり、また前記のように一部の接合部を剥離させたとき内部空間を広げやすくなる。
【００２８】
また、本発明は、壁面に固定される支持プレートと、前記支持プレートにプレート表面と平行に立ち上がるように回動自在に連結された支持アームとを有するホルダーが、前記箱体に組み合わされているものであってもよい。
【００２９】
または、前記ホルダーと前記箱体とが別々に流通するものであってもよい。
また、本発明は、前記シートがクッキングシートである場合に有用である。
【００３０】
【発明の実施の形態】
図１（Ａ）は本発明の第１の実施の形態のシート収納体を前方から見た斜視図、図１（Ｂ）は前記シート収納体を壁や家具あるいは冷蔵庫などの壁面に取り付けるためのホルダーを前方から見た斜視図、図２は図１（Ａ）に示すシート収納体が図１（Ｂ）に示すホルダーに取り付けられた状態を示す斜視図である。
【００３１】
図１（Ａ）に示すシート収納体１は、紙製の箱体２を有している。箱体２を形成する紙材は、六面体の箱体の形状を維持できる程度の剛性を有する厚みを有している。前記箱体２は、底面３、上面４、背面５、前面６および左右の両端面７，８を有している。
【００３２】
図３は前記箱体２を形成する紙材を展開した状態を示す平面図である。前記紙材が図３に示す形状にトリミングされ、その後に糊付けされて組み立てられて前記箱体２が形成される。
【００３３】
この組み立て工程では、図３に示す前記底面３と連続する接合片９の外側に、前面６が重ねられて糊着けされ、底面３、上面４、背面５および前面６の４面を有する角筒体が形成される。この状態で、前記角筒体の内部にシート積層体２０が収納される。
【００３４】
前記前面６の両側からは突片７ｄと８ｄが突出しており、前記背面５の両側からは突片７ｃと８ｃが突出している。前記突片７ｃは、切断線７ｃ３で切断されて、底面３側に位置する固定片７ｃ１と、上面４側に位置する自由片７ｃ２とに分離されている。同様に、前記突片８ｃも、切断線８ｃ３で切断されて固定片８ｃ１と自由片８ｃ２とに分離されている。また、底面３の両側からは側蓋片７ａ，８ａが突出し、上面４の両側から側蓋片７ｂ，８ｂが突出している。
【００３５】
前記突片７ｄと７ｃを内側に曲げ、その外側に側蓋片７ａを重ねて、突片７ｄの外面と固定片７ｃ１の外面に側蓋片７ａを糊付けし、さらにその上から側蓋片７ｂを重ねて、これを突片７ｄの外面および側蓋片７ａの外面に糊付けすることにより前記端面７が形成される。同様に、前記突片８ｄと８ｃを内側に曲げ、その外側に側蓋片８ａを重ねて突片８ｄの外面と固定片８ｃ１の外面に側蓋片８ａを糊付けし、さらにその上から側蓋片８ｂを重ねて、これを突片８ｄの外面および側蓋片８ａの外面に糊付けすることにより前記端面８が形成される。
【００３６】
ただし、自由片７ｃ２と自由片８ｃ２は、側蓋片７ｂ，８ｂに接着されておらず、自由片７ｃ２と８ｃ２は自由に変形可能である。
【００３７】
前記箱体２の上面には、紙材を切り離すためのパーフォレーション１１，１１が形成され、前記前面６には、前記パーフォレーション１１，１１に連続するパーフォレーション１２，１２が形成されている。前記上面４では、パーフォレーション１１，１１の終端１１ａ，１１ａ間を結ぶ折りぐせ形成手段１３が設けられている。この折ぐせ形成手段１３は、前記上面４に線状に延びる圧痕または部分的な切断部を設けることにより形成されている。
【００３８】
前記パーフォレーション１１，１１およびパーフォレーション１２，１２の部分で紙材を切断することにより、前記パーフォレーション１１，１１および１２，１２で囲まれた部分を蓋部１５として分離することができる。この蓋部１５は、前記折りぐせ形成手段１３の部分がヒンジとなって前記上面４から上方へ向けて折り曲げることができる。前記蓋部１５を上方へ向けて開放することにより、上面４および前面６にシートの取り出し口が形成される。
【００３９】
図１（Ａ）および図２に示すように、前記両端面７，８を構成する前記側蓋片７ｂ，８ｂのそれぞれには、支持穴３０を開口させるためのパーフォレーション３１，３２，３３が形成されている。前記パーフォレーション３１，３２，３３は、背面５から前面６に向けられる長方形の３辺を形成するように設けられている。そして、前記パーフォレーション３１，３２，３３で囲まれた部分が切り起し片３４となっている。
【００４０】
前記側蓋片７ｂと８ｂの各々において、前記パーフォレーション３１，３２，３３で紙材を切り離すことにより、前記切り起し片３４を分離することができる。この切り起し片３４は、前記パーフォレーション３１の終端３１ａと前記パーフォレーション３３の終端３３ａを結ぶ線の部分がヒンジとして機能して箱体２の内側へ折り曲げることができ、このとき、側蓋片７ｂと糊付けされていない前記自由片７ｃ２と８ｃ２も内側へ曲げることができる。この切り起し片３４を内側へ折り曲げることにより、前記両端面７，８のそれぞれに支持穴３０を形成することができる。
【００４１】
前記箱体２内に収納されているシート積層体２０は、複数枚のシート２１が折り畳まれた状態で、前記箱体２内において前記底面３から前記上面４に向けて積み重ねられたものである。
【００４２】
この実施の形態での前記シート２１は、キッチンペーパまたはクッキングペーパと称されるものであり、パルプやレーヨンなどの親水性繊維を抄紙した吸水性の紙、前記親水性繊維とポリエステル繊維などの合成繊維とから形成された吸水性の不織布などである。前記シート２１は、広げた寸法が２５０×２５０ｍｍ程度であり、これが１つの折り線で折り畳まれ、または２つの折り線で折り畳まれ、この折り畳まれたものが積み重ねられてシート積層体２０が形成されている。あるいは、個々のシートが２つの折り線でＺ字形状に折られたものであってもよい。
【００４３】
そして、前記蓋部１５を持ち上げて箱体２に取り出し口を形成したときに、前記取り出し口から、折り畳まれたシート２１を１枚ずつ取り出すことができるようになっている。
【００４４】
図１に示すように、前記支持穴３０，３０の下辺、すなわちパーフォレーション３３，３３は、箱体２内のシート積層体２０の上面と同じ高さ、またはそれよりも上方に位置している。また、支持穴３０，３０の前方側の端辺、すなわち前記パーフォレーション３２，３２は、両端面７，８を上下に延びる中心線Ｏ−Ｏよりも背面５側に寄った位置に形成されている。
【００４５】
図３に示す、切断線７ｃ３と前記側蓋片７ｂの縁部７ｂ１との距離Ｌ１は、背面５の高さ寸法Ｈの１／２以下であり、且つ側蓋片７ｂにおいてその縁部７ｂ１からパーフォレーション３２までの距離をＬａとしたときに、Ｌａ＜Ｌ１である。その結果、前記支持穴３０は、端面７の上方であって前記中心線Ｏ−Ｏよりも背面５側に開口するようになる。これは端面８側の支持穴３０においても同じである。
【００４６】
図１（Ｂ）に示すホルダー５０は、支持プレート５１と支持アーム５２とを有している。前記支持プレート５１の背面には感圧接着剤層５３が設けられ、使用前はこの感圧接着剤層５３が離型シートで覆われている。例えば、前記支持プレート５１の背面に両面接着テープを接着させることによって、前記感圧接着剤層５３を形成することが可能である。
【００４７】
前記支持プレート５１の表面には、突体５４とこの突体５４から延びる支持軸５５が設けられており、前記支持アーム５２の基部は、前記支持軸５５に回動自在に支持されている。前記支持アーム５２は、前記基部から延びる立ち上がり部５２ｂと、前記立ち上がり部５２ｂから直角に曲がる挿入部５２ａとを有している。図１（Ｂ）では、前記立ち上がり部５２ｂが、支持プレート５１の表面に当る姿勢に倒されている。この状態から支持アーム５２をα方向へ９０度回動させて立ち上げると、前記支持アーム５２が前記突体５４によりロックされ、それ以上α方向へ回動できなくなる。このとき、挿入部５２ａが支持プレート５１の前方へ間隔を開けて支持プレート５１の前面と平行に延び、図２に示すように、前記挿入部５２ａによって、前記箱体２を支持できるようになる。
【００４８】
前記シート収納体１を、壁や家具あるいは冷蔵庫の表面など壁面に支持させるときには、前記ホルダー５０の支持プレート５１を感圧接着剤層５３を介して前記壁面に接着固定する。そして、前記支持アーム５２を前方へ回動させる。
【００４９】
一方、シート収納体１の箱体２の両端面７，８の側蓋片７ｂ，８ｂのそれぞれにおいて、前記パーフォレーション３１，３２，３３によって切り起し片３４を分離し、この切り起し片３４を内側へ折り曲げる。このとき自由片７ｃ２および８ｃ２も一緒に内側へ折り曲げられて支持穴３０が開口する。
【００５０】
図２に示すように、前記支持アーム５２の挿入部５２ａを、端面７に開口する支持穴３０に挿通させ、その先部を端面８に開口する支持穴３０に挿通させることにより、シート収納体１をホルダー５０に支持させることが可能である。
【００５１】
さらに、箱体２のパーフォレーション１１，１１および１２，１２で蓋部１５を分離し、この蓋部１５を上方に開くことにより、箱体２の内部のシート２１を上から順番に取り出すことができる。このとき、箱体２内に挿通されている支持アーム５２の挿入部５２ａはシート積層体２０の上面よりも上方に位置し、また両端面７，８の中心線Ｏ−Ｏよりも背面５側に位置している。したがって、箱体２内のシート２１を取り出すときに、箱体２内を貫通している前記挿入部５２ａがシート２１の取り出しの邪魔にならない。
【００５２】
また、全てのシート２１を取り出した後に、箱体２を前記ホルダー５０から外して廃棄し、新たなシート収納体１を簡単に設置することができる。さらに、シート収納体１を壁面に取り付ける必要が無くなったときは、ホルダー５０の支持プレート５１を壁面から外すことにより、壁面を傷つけることなくホルダー５０を撤去できる。
【００５３】
また、図１と図２に示す箱体２に代えて、図４に示す展開形状の紙材によって形成された箱体２Ａ内に前記シート積層体２０を収納することもできる。
【００５４】
ここで、図４に示す紙材は前記図３に示した紙材と同様の構造部分を有しているものであるため、図４に示した紙材のうち前記図３に示した紙材と同様の構造部分には、同様の符号を付してその説明を省略する。
【００５５】
図４に示される紙材は、背面５の左右に連続する突片７ｃと８ｃに切欠き部７ｃ４，８ｃ４が形成されている。
【００５６】
箱体２Ａが組み立てられたときに、前記切欠き部７ｃ４，８ｃ４が、側蓋片７ｂ，８ｂに形成された切り起し片３８，３８の裏側に位置して、前記切り起し片３８，３８を内側に倒すことができ、これにより支持穴３０，３０を開口させることができるようになっている。
【００５７】
また図４に示す実施の形態では、前記側蓋片７ｂ，８ｂのそれぞれにおいて、前記パーフォレーション３５，３６，３７が底面３から上面４に向けられる長方形の３辺を形成するように設けられている。
【００５８】
前記パーフォレーション３５，３６，３７で切り離される切り起し片３８は、前記パーフォレーション３５の終端と前記パーフォレーション３７の終端を結ぶ線の部分が折り曲げられる基端部のヒンジとして機能しているが、このヒンジは底面３側に位置している。またパーフォレーション３６，３６で切り離された部分が切り起し片３８，３８の自由端となるが、この自由端は上面４に向けられている。すなわち切り起し片３８，３８は上面４に向けて縦向きに形成されている。
【００５９】
この実施の形態では、前記パーフォレーション３５，３６，３７で切り離した切り起し片３８，３８を箱体２Ａの内方へ折り曲げたときに、前記自由端が箱体２Ａ内のシート積層体２０の上面に対面するようになる。
【００６０】
よって、例えばシート積層体２０の上面が、切り起し片３８，３８のヒンジよりも上方に位置していたとしても、切り起し片３８，３８を折り曲げたときに、その自由端をシート積層体２０の上面に位置させることができ、支持穴３０，３０に支持アーム５２の挿入部５２ａの先端を差し込むときに、挿入部５２ａが前記切り起し片３８，３８に案内されて、シート積層体２０の上面に導かれるようになる。よって、挿入部５２ａの先端がシート積層体２０の側面に当たるのを避けることができ、挿入部５２ａを確実に箱体２Ａ内に挿入することができる。
【００６１】
なお、図４に示すように自由端が上向きとされた縦向きの切り起し片３８，３８は、図１ないし図３の実施の形態および以下で説明する図５の実施の形態においても適用可能である。
【００６２】
図５（Ａ）は本発明の第２の実施の形態の第１の例のシート収納体１０１がホルダーに取り付けられた状態を示す正面図、図５（Ｂ）は前記第２の実施の形態の変形例を示す正面図、図６は図５（Ａ）（Ｂ）のホルダーを示す斜視図である。図５（Ａ）（Ｂ）において、図１ないし３に示す前記箱体２と同じ構造の部分には同じ符号を付して詳しい説明を省略する。
【００６３】
図５（Ａ）に示すシート収納体１０１の基本的な構造は図１ないし３に示す前記シート収納体１と同様である。すなわち、箱体１０２は、底面３、上面４、背面５、前面６および両端面７，８を有し、上面４から前面６にかけてパーフォレーション１１，１１および１２，１２で分離可能な蓋部１５が設けられている。また両端面７，８には、切り起し片３４，３４を内側に曲げて形成される開口部３０，３０が設けられている。
【００６４】
そして、前記シート収納体１０１を構成する箱体１０２の内部には、端面７よりも内側に紙材で形成された隔壁１１１が設けられ、端面８よりも内側に同じく紙材で形成された隔壁１１２が設けられている。前記隔壁１１１と１１２は、下端の折り曲げ部１１１ａ，１１２ａが底面３の内面に接着され、上端の折り曲げ部１１ｂ，１１２ｂが上面４の内面に接着されて固定されている。
【００６５】
前記隔壁１１１と１１２との間の空間がシートの収納領域１１５であり、端面７と隔壁１１１との間が挿入空間１１３であり、端面８と隔壁１１２との間が挿入空間１１４である。
【００６６】
前記複数枚のシート２１が積層されたシート積層体２０は、前記収納領域１１５の内部に収納されている。また、前記パーフォレーション１２，１２で分離される蓋部１５は、前記収納領域１１５よりも広がりを有するように形成されている。
【００６７】
図６に示すホルダー１５０は、裏面に感圧接着剤層１５３を有する支持プレート１５１を有している。支持プレート１５１の前面には、一対の支持アーム１５２，１５２が設けられている。前期支持プレート１５１の前面には突体１５４，５４が設けられ、この突体１５４，１５４に設けられた支持軸１５５，１５５に、支持アーム１５２の基部が回動自在に支持されている。それぞれの支持アーム１５２は、立ち上がり部１５２ｂ，１５２ｂと挿入部１５２ａ，１５２ａが一体に設けられている。
【００６８】
支持アーム１５２，１５２を、図６の状態から前方へ９０度回動させてロックさせた状態で、図５（Ａ）に示すように、挿入部１５２ａ，１５２ａを箱体１０２の端面７，８に形成されたそれぞれの支持穴３０，３０に挿入して、箱体１０２を支持する。
【００６９】
このとき、支持アーム１５２，１５２の挿入部１５２ａ，１５２ａは、挿入空間１１３，１１４内に位置し、挿入部１５２ａ，１５２ａが収納領域１１５の内部に入り込まないようになっている。したがって、収納領域１１５内において、シート積層体２０を底面３から上面４まで隙間無く収納させたとしても、挿入部１５２ａ，１５２ａで箱体１０２をしっかり支持することができる。したがって、箱体１０２内に収納させるシート２１の枚数を多くできる。
【００７０】
また、図５（Ｂ）に示すシート収納体１０１Ａの箱体１０２Ａでは、隔壁１１１Ａと１１２Ａの下端の折り曲げ部１１１ｃ，１１２ｃが底面３の内面に接着されているが、隔壁１１１と１１２の上端１１１ｄ，１１２ｄと上面４の内面との間に隙間が形成されている。
【００７１】
したがって、このシート収納体１０１Ａでは、図６に示すホルダー１５０を使用することもできるが、図１（Ｂ）に示すホルダー５０も使用できる。すなわち、隔壁１１１Ａと１１２Ａとの間の収納領域１１６内に、シート積層体２０を上面４付近まで積層して図６に示すホルダー１５０を使用することができるし、または収納領域１１６内で、シート積層体２０の上面と箱体１０２Ａの上面４との間に隙間を形成しておけば、図１（Ｂ）に示すホルダー５０の挿入部５２ａを、端面７の支持穴３０から端面８の支持穴３０にかけて相通して使用することもできる。
【００７２】
次に、図７（Ａ）（Ｂ）は、箱体の端面に支持穴３０を形成するための切り起し片の形状の他の実施の形態を示す側面図である。
【００７３】
図７（Ａ）（Ｂ）では、箱体の一方の端面７のみを示しているが、端面８の構造も同じである。また端面以外の箱体の構造は、図１（Ａ）または図５（Ａ）あるいは図５（Ｂ）と同じである。
【００７４】
図７（Ａ）に示す例では、側蓋片７ｂに、縦方向に延びるパーフォレーション７１と、横方向に延びる４本のパーフォレーション７２，７３，７４，７５とが形成されており、パーフォレーション７２，７３，７４，７５は縦方向に間隔を空けて形成されている。
【００７５】
前記各パーフォレーションを選択して切り離すことにより、切り起し片７５ａ，７５ｂ，７５ｃ，７５ｄ，７５ｅ，７５ｆを分離でき、ぞれぞれの切り起し片を箱体の内側へ曲げることができる。この切り起し片７５ａ，７５ｂ，７５ｃ，７５ｄ，７５ｅ，７５ｆのいずれかを選択して組み合わせて折り曲げることにより、支持穴３０の開口面積と開口の縦横比を調節することができる。
【００７６】
図７（Ｂ）に示す例では、側蓋片７ｂに、互いに交叉するパーフォレーション８１，８２，８３，８４が形成されており、各パーフォレーションは１点で交叉している。その結果、前記パーフォレーションを選択して切り離すことにより、放射状に延びる複数の切り起し片８５ａ，８５ｂ，８５ｃ，８５ｄ，８５ｅ，８５ｆ，８５ｇ，８５ｈが形成されている。この切り起し片を選択して折り曲げることによっても、支持穴３０の開口面積を変えることができる。
【００７７】
開口面積を変えることにより、ホルダーの支持アームの形状や大きさに合わせた支持穴を形成することができる。
【００７８】
図８は本発明の第３の実施の形態のシート収納体２０１を背面側から示した斜視図、図９は図８のＩＸ−ＩＸ線における拡大断面図、図１０は図８に示すシート収納体２０１がホルダー５０に取り付けられた状態を示す斜視図、図１１は図９に示したシート収納体２０１の変化後の状態を示す拡大断面図である。
【００７９】
シート収納体２０１は図１ないし図３に示す前記シート収納体１とほぼ同様の構造を有しているものであり、箱体の背面に支持部材２６０が設けられている点のみが前記シート収納体１と異なっている。したがって、シート収納体２０１のうち前記シート収納体１と同様の構造部分には同様の符号を付してその説明を省略する。
【００８０】
前記シート収納体２０１を構成する箱体２０２の背面５には、支持部材２６０が設けられている。
【００８１】
前記支持部材２６０は、上面４と背面５との境界線に平行に向けられて取り付けられており、支持部材２６０は、前記箱体２０２の高さ寸法（前記箱体２０２の前記底面３および上面４間の寸法）を２分する中心線Ｏｈ−Ｏｈ線よりも上面４側に位置するように設けられている。このように構成すると、シート収納体２０１がホルダー５０により支持されたときに、前記シート収納体２０１が安定した状態で支持される。
【００８２】
また前記構成に加えて、前記支持部材２６０の両側端２６０ａおよび２６０ｂ間の長さ寸法Ｌ２を、前記箱体２０２の両端面７および８間の長さ寸法よりも若干小さく形成し、前記支持部材２６０の両側端２６０ａ，２６０ｂが、それぞれ前記両端面７，８の内側に位置するように構成することが好ましい。このように構成すると、シート収納体２０１をホルダー５０に支持させる際に、前記ホルダー５０の支持アーム５２を前記支持部材２６０の中空部に形成された支持空間２６０ｃに挿通し易くなる。
【００８３】
前記支持部材２６０は、両側端が開口し、中空部を有する筒体である。この筒体は樹脂フィルムによって形成されたものであり、例えば、ポリエチレンやポリプロピレンなどの公知の素材から成形された１枚の樹脂フィルムの長辺どうしをシール部２６１でシールすることにより形成されている。
【００８４】
前記支持部材２６０は、ほぼ平坦に折り畳まれた状態で背面５に取り付けられている。平坦な状態の前記支持部材２６０の一方の面が前記箱体２０２の背面５に対向する背面対向面２６０ｄとなっており、前記筒体の中空部が前記支持部材２６０の支持空間２６０ｃとなっている。
【００８５】
または、２枚の長方形のフィルムの各辺どうしが重なり合った状態で、各々の長辺でフィルムを接合することによって前記支持部材２６０を形成することもできる。この場合、前記２枚のフィルムのうちの一方により前記背面対向面２６０ｄが形成され、前記２枚のフィルムの間に前記支持空間２６０ｃが形成される。
【００８６】
前記支持部材２６０の背面対向面２６０ｄは３つの接合部２７０ａ，２７０ｂおよび２７１により、前記背面５に接合されている。前記接合部２７０ａ，２６０ｂおよび２７１は、例えば、所定の幅寸法を有して帯状に塗付された接着剤層であり、それぞれが前記支持部材２６０の一方の側端部２６０ａから他方の側端部２６０ｂまで連続して延びている。前記各接合部２７０ａ，２６０ｂおよび２７１を構成する接着剤は、合成樹脂接着剤、ゴム系接着剤、天然産物系接着剤のいずれかを使用できる。
【００８７】
前記各接合部２７０ａ，２７０ｂおよび２７１は、それぞれが上下方向に所定の間隔を空けて設けられており、前記接合部２７０ａは前記支持部材２６０の上方部に位置し、接合部２７０ｂはその下に間隔を開けて形成されており、前記接合部２７１は接合部２７０ｂよりもさらに下側に間隔を開けて形成されている。
【００８８】
前記接合部２７１は、前記接合部２７０ａおよび２７０ｂよりも接着強度が低く、前記支持部材２６０の下部を背面５から離れる方向へ引っ張ると、前記接合部２７１による接合状態が解除されて、前記支持部材２６０の下方部が前記背面５から離脱する。このとき、前記接合部２７０ａ，２７０ｂは容易に剥離しない程度の接着強度を有している。
【００８９】
すなわち、前記接合部２７１は、仮止め部として機能し、接合部２７０ａ，２７０ｂが実質的な接合部とされており、接合部２７１ｂと背面５との接着強度は、接合部２７０ａ，２７０ｂと背面５との接着強度よりも弱くなっている。
【００９０】
図９に示すように、前記接合部２７１において接着されている場合には、支持部材２６０が平坦な状態で背面５の外面に位置しているが、前記接合部２７１を剥離することにより、図１１に示すように、支持部材２６０の内部の支持空間２６０ｃを広げることができる。
【００９１】
前記接合部２７１を仮止め用とするためには、前記接合部２７１に使用されている接着剤を他の接合部２７０ａ，２７０ｂの接着剤と相違させたり、または接合部２７１に使用される接着剤の量を少なくし、接合部２７１において、背面５と支持部材２６０との接着面積を小さくすることなどで実現できる。例えば、接合部２７０ａと２７０ｂでは、接着剤を前記のように帯状に形成し、接合部２７１では接着剤を背面５の長手方向に沿ってドット状に形成すればよい。
【００９２】
支持部材２６０が前記接合部２７０ａ，２７０ｂおよび２７１の全てによって背面に接着されているときには、前記背面対向面２６０ｄのほぼ全面が前記背面５に密着し、また支持部材２６０は平坦な状態に折り畳まれている。よって、前記シート収納体２０１を保管または流通する際に、前記支持部材２６０が邪魔になることがない。
【００９３】
図１０に示すように、支持部材２６０が接合部２７０ａ，２７０ｂおよび２７１の全てによって背面５に接着されている状態で、前記ホルダー５０の支持アーム５２の挿入部５２ａを、前記支持部材２６０の一方の側端部２６０ｂから前記支持空間２６０ｃに挿通させると、樹脂フィルム製の支持部材２６０が支持アーム５２に密着した状態で、支持アーム５２に支持させることができる。前記樹脂フィルムが軟質であり、これが支持アーム５２に密着することにより、シート収納体２０１を、ほとんど動かない状態で支持アーム５２に支持させることができる。
【００９４】
また、図１１に示すように、仮止め用である前記接合部２７１の接着を解除すると、支持部材２６０の支持空間２６０ｃを広げることができる。この状態で、幅寸法Ｗ１などが大きく太めの前記支持アーム５２を支持空間１６０ｃ内に挿入させることができる。
【００９５】
なお、図８と図１０では、前記シート収納体２０１に、前記第１の実施の形態で説明した切り起し片３４が設けられており、この部分を切り離すことにより支持穴３０が形成されるようになっている。よってこの支持穴３０に前記支持アーム５２を挿通することも可能である。ただし、第３の実施の形態のシート収納体２０１では、前記切り起し片３４や支持穴３０を設けないものであってもよい。
【００９６】
ただし、前記支持部材２６０に支持アーム５２を挿通して使用すると、空気中の埃などの汚染物が前記箱体２０２内に入り込むことを防止できるため、箱体２０２内に収納されたシートを衛生的に使用できる。
【００９７】
また、前記シート収納体２０１を支持するホルダーとして図１および２に示すホルダー５０を使用する場合を例にして説明したが、本発明はこれに限定されるものではなく、図６に示すホルダー１５０によって前記シート収納体２０１を支持させることも可能である。この場合、前記ホルダー１５０の支持アーム１５２の挿入部１５２ａを前記支持部材２６０の一方の側端部２６０ｂから支持空間２６０ｃに挿入し、前記支持アーム１５２の挿入部１５２ｂを前記支持部材２６０の他方の側端部２６０ａから支持空間２６０ｃに挿入して使用する。
【００９８】
なお、前記実施の形態として、仮止め用の接合部が１種であるものについて説明を行なったが、本発明はこれに限定されるものではなく、仮止め部として機能する接合手段をさらに１つまたは２つ以上設けることも可能である。このように仮止め部を複数設けると、前記支持アーム５２の幅寸法Ｗ１の変化に対して支持部材２６０の支持空間２６０ｃを段階的に広くさせて適合させることが可能である。例えば、最上部の接合部２７０ａと下側の接合部２７１の双方が軽い力で剥離可能であってもよいし、全ての接合部が剥離可能であり、支持アームの形状などに応じて剥離すべき接合部を任意に選択できるようにしてもよい。
【００９９】
なお、前記各実施の形態では、シートが吸収性の紙、または不織布であるが、前記箱体に収納されるシートが、樹脂シート、または樹脂シートで形成された袋体、あるいは紙や不織布で形成された袋体であってもよい。
【０１００】
【発明の効果】
以上のように本発明では、シート収納体の端面に形成された挿入口が、壁や家具または冷蔵庫の表面などの壁面に取り付けられたホルダーの支持アームに支持されるため、シート収納体を壁面に設置して使用することができる。
【０１０１】
またシート収納体の前記壁面への取り付けと取り外しも容易である。
【図面の簡単な説明】
【図１】（Ａ）は本発明の第１の実施の形態のシート収納体を前方から見た斜視図、（Ｂ）はホルダーを前方から見た斜視図、
【図２】図１（Ａ）に示すシート収納体を図１（Ｂ）に示すホルダーに取り付けた状態で示す斜視図、
【図３】図１に示すシート収納体を形成する紙材の展開図、
【図４】本発明の第１の実施の形態の他の展開図、
【図５】（Ａ）は本発明の第２の実施の形態のシート収納体をホルダーに取り付けた状態で示す正面図、（Ｂ）は本発明の第２の実施の形態の他の例のシート収納体をホルダーに取り付けた状態で示す正面図、
【図６】図５（Ａ）（Ｂ）のシート収納体を支持するホルダーを前方から見た斜視図、
【図７】（Ａ）（Ｂ）は、隣接する切り起し片を形成できるパーフォレーションを備えた箱体の端面図、
【図８】本発明の第３の実施の形態のシート収納体を背面側から示す斜視図、
【図９】図８のＩＸ−ＩＸ線の拡大断面図、
【図１０】図８に示すシート収納体をホルダーに取り付けた状態で背面側から示す斜視図、
【図１１】図９に示したシート収納体の変化後の状態を示す拡大断面図、
【符号の説明】
１，１０１，１０１Ａ，２０１  シート収納体
２，２Ａ，１０２，１０２Ａ，２０２  箱体
３  底面
４  上面
５  背面
６  前面
７，８  端面
１１，１２  パーフォレーション
１５  蓋部
２０  シート積層体
２１  シート
３０  支持穴
３１，３２，３３  パーフォレーション
３４  切り起し片
５０，１５０  ホルダー
５１，１５１  支持プレート
５２，１５２  支持アーム
２６０  支持部材
２６０ａ，２６０ｂ，２７１  接合手段
２６０ｄ  背面対向面
【図１】
0004335510.tif 000002
【図２】
0004335510.tif 000003
【図３】
0004335510.tif 000004
【図４】
0004335510.tif 000005
【図５】
0004335510.tif 000006
【図６】
0004335510.tif 000007
【図７】
0004335510.tif 000008
【図８】
0004335510.tif 000009
【図９】
0004335510.tif 000010
【図１０】
0004335510.tif 000011
【図１１】
0004335510.tif 000012